(57)【特許請求の範囲】
【請求項１】
俯仰自在なブームと、そのブームの先端に設けられ、下端に掻取部を有し、前記掻取部を昇降させる垂直部を有すると共にその掻取部と垂直部にかけて巻き掛けられたバケットチェーンとを有するバケットコンベアとを備え、船倉内のバラ物を前記掻取部で掻き取るようにした連続式アンローダであって、
緊急地震速報を受信する緊急地震速報受信部と、
津波警報を受信する津波警報受信部と、
前記緊急地震速報受信部で緊急地震速報を受信した場合や前記津波警報受信部から津波の発生の虞が報知された場合に、オペレータに対して、緊急避難を呼びかけるオペレータ安全退避警報部と、
前記緊急地震速報受信部で緊急地震速報を受信した場合や、前記津波警報受信部から津波の発生の虞が報知された場合に、連続式アンローダの運転を自動で行うプログラムを保持した自動退避運転部を具備したことを特徴とする連続式アンローダ。
【請求項２】
前記緊急地震速報受信部は、緊急地震速報を受信すると、推定震度と到達予測時間を音声で知らせすると共に、ランプが点滅することを特徴とする請求項１記載の連続式アンローダ。
【請求項３】
前記津波警報受信部は、津波発生の虞をラジオ音声でながすとともにライトが点滅することを特徴とする請求項１記載の連続式アンローダ。
【請求項４】
前記オペレータ安全退避警報部は、ラウドスピーカであることを特徴とする請求項１に記載の連続式アンローダ。
【請求項５】
前記津波警報受信の際、オペレータ室に備えられたモニター上に津波発生の虞メッセージを出力することを特徴とする請求項４に記載の連続式アンローダ。
【請求項６】
前記緊急地震速報を受信した際の前記自動退避運転部による運転指令と、前記津波警報を受信した際の前記自動退避運転部による運転指令とは異なる指令とすることを特徴とする請求項１に記載の連続式アンローダ。
【請求項７】
前記緊急地震速報を受信した際の前記自動退避運転部による運転指令は、許容可能最大出力で前記掻取部を船倉外へ退避させることを特徴とする請求項６記載の連続式アンローダ。
【請求項８】
前記津波警報を受信した際の前記自動退避運転部による運転指令は、津波を受けても安全な位置まで前記ブームを通常速度で退避させることを特徴とする請求項６記載の連続式アンローダ。
【請求項９】
前記津波警報受信部は津波警報の警報レベルまで受信できるものであり、設定する所定警報レベルを超えた津波警報を受信した場合、前記自動退避運転部による運転へ切換えることを特徴とする請求項６に記載の連続式アンローダ。
【発明の詳細な説明】
【技術分野】
【０００１】
本発明は、石炭、鉄鉱石、穀物などのバラ物を船倉内から連続で掻取る連続式アンローダであって、地震の揺れや津波による損壊等を抑制することのできる連続式アンローダに関する。
【背景技術】
【０００２】
連続式アンローダは船倉内に荷積みされたバラ物を荷揚げする場合、バケットコンベアを回転させ、そのバケットコンベアの下端に形成されている掻取部をバラ物上に這わせてバラ物を掻き取るようになっている。
【０００３】
波により船の上下動が発生することもあるが、通常の掻取り運転時にはバラ物の掻取深さが変動するだけで掻取部に大きな衝撃力が加わることはほとんどない。
【０００４】
また、船底に残ったバラ物を底ざらいするときには、クッションとなるバラ物が少ないため、波などによる船の上下動を掻取部に吸収させながら掻き取っている。
【０００５】
突発的な大波などについては船底が異常に突き上げられ、掻取部でも吸収することが出来ない。そこで、例えば、掻取部にて船底の突き上げを検出し、ブームを上方に回動させる退避手段が提案されている（例えば、特許文献１参照）。
【先行技術文献】
【特許文献】
【０００６】
【特許文献１】特開２００１−２５３５４８号公報
【発明の概要】
【発明が解決しようとする課題】
【０００７】
しかしながら、地震で連続式アンローダが揺れる場合や地震に伴う津波で船底の突き上げを検出してからの退避では間に合わず、掻取部の損傷や船底を損傷させていた。また、緊急地震速報や津波警報が発生してもオペレータに知らせる手段が無いため、逃げ遅れる危険性があった。
【０００８】
そこで、本発明は、上記のような課題を解決するためになされたものであり、その目的は、地震の揺れや津波による損壊を防げる連続式アンローダを提供することにある。
【課題を解決するための手段】
【０００９】
本発明の一態様によれば、俯仰自在なブームと、そのブームの先端に設けられ、下端に掻取部を有し、前記掻取部を昇降させる垂直部を有すると共にその掻取部と垂直部にかけて巻き掛けられたバケットチェーンとを有するバケットコンベアとを備え、船倉内のバラ物を前記掻取部で掻き取るようにした連続式アンローダであって、緊急地震速報を受信する緊急地震速報受信部と、津波警報を受信する津波警報受信部と、前記緊急地震速報受信部で緊急地震速報を受信した場合や前記津波警報受信部から津波の発生の虞が報知された場合に、オペレータに対して、緊急避難を呼びかけるオペレータ安全退避警報部と、前記緊急地震速報受信部で緊急地震速報を受信した場合や、前記津波警報受信部から津波の発生の虞が報知された場合に、連続式アンローダの運転を自動で行うプログラムを保持した自動退避運転部を具備したことを特徴とする連続式アンローダが提供される。
【発明の効果】
【００１０】
本発明によれば、地震の揺れや津波による連続式アンローダの損壊を防げるようになる。更にオペレータに緊急地震速報と津波警報をアナウンスすることにより、オペレータを安全に退避させることが可能となる。
【図面の簡単な説明】
【００１１】
【図１】本発明の実施の形態において、連続式アンローダを側面から見た連続式アンローダと船倉を示した図である。
【図２】地震・津波被害抑制装置の概略構成を示すブロック図である。
【図３】地震・津波被害抑制装置による制御の流れを示すフローチャートである。
【発明を実施するための形態】
【００１２】
以下、本発明の一実施の形態について、図面を参照して説明する。尚、各図において同一箇所については同一の符号を付すとともに、重複した説明は省略する。
【００１３】
図１は、岸壁５に設置された連続式アンローダ１００と船倉１４の側面図である。
【００１４】
連続式アンローダ１００は、埠頭などの岸壁５に走行自在に設けられた走行部７と、走行部７に俯仰自在かつ旋回自在に設けられたブーム１と、ブーム１の先端に設けられたバケットコンベア２とから成る。 
ブーム１は、走行部７の頂部８の頂端に連結される上部ブーム９と、上部ブーム９から下方に離間して走行部７の頂部８に連結される下部ブーム１０とから構成されている。 
上部ブーム９と下部ブーム１０は、それぞれ平行となるように先端をバケットコンベア支持フレーム１１に連結されており、走行部７の頂部８を固定リンクとする平行リンクを形成している。 
また、走行部７の頂部８と上部ブーム９は、中間を俯仰用油圧シリンダ１２で連結されており、俯仰用油圧シリンダ１２を伸縮させることでブーム１を俯仰させるようになっている。 
上部ブーム９は、走行部７の頂部８から後方へも延出されており、後端にはバケットコンベア２とバランスするカウンターウェイト６が設けられている。これにより、ブーム１は小さな力で迅速に俯仰するようになっている。 
バケットコンベア２は、垂直部２ａと掻取部３とバケットチェーン１３とを備える。垂直部２ａは、バケットコンベア支持フレーム１１を上下方向に貫通してバケットコンベア支持フレーム９に旋回自在に支持される旋回マストである。掻取部３は、垂直部２ａの下方に形成され伸縮自在となっている。バケットチェーン１３は、掻取部３と垂直部２ａにかけて巻き掛けられている。
【００１５】
バケットチェーン１３等を駆動するために図示しないバケットチェーン用駆動装置が取り付けられている。バケットチェーン用駆動装置は、例えば油圧モータにより駆動され、油圧モータ駆動用の油圧力を制御することにより、バケットチェーン１３に働く張力を制御している。また、
バケットコンベア２は、バケットコンベア支持フレーム１１から垂下されており、掻取部３をその伸縮に応じて昇降させるように支持する。 
連続式アンローダ１００全体の運転を制御するために、運転用主幹装置２０、図示しない主駆動装置が配設されている。運転用主幹装置２０は、オペレータがオペレータ室１６から操作が出来る様に構成され、主駆動装置に対して指令を与え連続式アンローダを運転する。
【００１６】
本実施形態に係る連続式アンローダ１００は、後述する地震・津波被害抑制装置３０を備えている。
【００１７】
このように構成された連続式アンローダ１００は、岸壁５に横付けされた船の船倉１４内にある石炭、鉄鉱石、穀物などのバラ物１５をブーム１先端の掻取部３を連続で回転させバラ物１５を掻取るようにし、バケットコンベア２内を経由し、ベルトコンベア４までバラ物１５を運ぶ機構となっている。
【００１８】
図２は、地震・津波被害抑制装置３０の概略構成を示すブロック図である。
【００１９】
地震・津波被害抑制装置３０は、緊急地震速報受信部３１と、津波警報受信部３２と、オペレータ安全退避警報部３３と、自動退避運転部３４を備えている。地震・津波被害抑制装置３０は、連続式アンローダ１００の運転用主幹装置２０と接続している。
【００２０】
緊急地震速報受信部３１は、緊急地震速報を受信する専用の受信端末である。緊急地震速報は、地震の発生直後に、震源に近い地震計でとらえた地震波を解析する。すなわち、地震波の来た方向、震源までの距離、地震の規模を解析し、震源の位置及びマグニチュードを直ちに推定し、これに基づいて各地での主要動の到達時刻や震度を予測し、可能な限り素早く知らせる地震動の予報及び警報である。緊急地震速報は、テレビ、ラジオ、防災行政無線、携帯電話等で入手できるが、本実施形態に係る地震・津波被害抑制装置３０では、専用の受信端末として用意する。例えば、地震発生時に気象庁が配信する緊急地震速報を受信すると、推定震度と到達予測時間を音声で知らせすると共に、ランプが点滅する。
【００２１】
津波警報受信部３２は、津波の発生の虞を知らせるもので、例えば、ＡＲＩＢ標準規格ＢＴＡ  Ｒ−００１に準拠した緊急警報放送によるＦＳＫ（周波数シフトキーイング）信号を検出した場合に、ラジオ音声とライトの点滅で知らせるものである。
【００２２】
オペレータ安全退避警報部３３は、緊急地震速報受信部３１で緊急地震速報を受信した場合や津波警報受信部３２から津波の発生の虞が報知された場合に、連続式アンローダ１００のオペレータに対して、緊急避難を呼びかけるものである。例えば、ラウドスピーカが好適である。また、オペレータ室１６に備えられたモニター（図示しない）上にメッセージを出力させてもよい。
【００２３】
自動退避運転部３４は、緊急地震速報受信部３１で緊急地震速報を受信した場合や津波警報受信部３２から津波の発生の虞が報知された場合に、自動退避運転に自動で切換え、連続式アンローダ１００の運転を自動で行うものである。通常は、オペレータの操作により、運転用主幹部２０に対してオペレータからの操作指令を与えている。オペレータからの操作指令は、主駆動装置に送られる。
【００２４】
しかし、災害時には、自動退避運転部３４は、事前にプログラムしておいた自動退避運転パターンを実行させ、掻取部３を船倉１４から自動退避させ、連続式アンローダ１００を安全な位置に収納させる。ここでは、少なくとも、掻取部３が船倉１４内にないような位置まで退避させる。
【００２５】
緊急地震速報受信部３１により緊急地震速報を受信した際に自動退避運転部３４が運転用主幹部２０へ出力する運転指令と、津波警報受信部３２により津波警報を受信した際に自動退避運転部３４が運転用主幹部２０へ出力する運転指令は異なる指令とする。緊急地震速報を受信した場合には、極めて短時間で地震の発生が予想されるのに対し、津波警報を受信した場合には、津波の到来まで若干の猶予時間が予想されるからである。
【００２６】
図３は、地震・津波被害抑制装置３０による制御の流れを示すフローチャートである。  連続式アンローダ１００は、通常はオペレータ室１６にいるオペレータによって手動操作されている。
【００２７】
地震・津波被害抑制装置３０において、緊急地震速報受信部３１は、常時、緊急地震速報の受信を監視している（ステップＳ３１）。緊急地震速報受信部３１が緊急地震速報を受信すると（ステップＳ３１でＹｅｓ）、自動退避運転部３４は掻取部３が船倉１４内か判断を行う（ステップＳ３２）。掻取部３が船倉１４内であれば（ステップＳ３２でＹｅｓ）、掻取部３は連続式アンローダ１００が受ける地震の揺れにより船倉１４と衝突する可能性があるため、自動退避運転部３４はオペレータ操作から自動退避へ切替え、緊急でブーム１を最大出力で上方へ回動させる指令を出力する（ステップＳ３３）。この指令時間は緊急地震速報を受けてから地震が起きるまでの極めて短時間であり、出力指令も機械の許容値を超えるものでも良い。例えば、極めて短時間の間だけ、駆動モータを許容可能最大出力とする。退避させることが出来ればよく、地震による被害を軽減することができるからである。
【００２８】
ブーム１を上方へ一時的に回動させ、地震が発生後、津波警報が発令される場合もある。そこで、津波警報受信部３２により津波警報の受信の有無を判定する（ステップＳ３４）。
【００２９】
津波警報がなければ（ステップＳ３４でＮｏ）、通常のオペレータ操作へ復帰する。
【００３０】
一方、津波警報受信部３２により津波警報を受信した際には（ステップＳ３４でＹｅｓ）、再度オペレータ操作から自動退避運転へ切替え、自動退避運転部３４は津波を受けても安全な位置までブーム１を通常速度で退避させる運転指令を出力する（ステップＳ３５）。
【００３１】
尚、ステップＳ３１で緊急地震速報受信部３１が緊急地震速報を受信しない場合（ステップＳ３１でＮｏ）にも、ステップＳ３４に移行させる。また、ステップＳ３２で掻取部３が船倉１４内にない場合（ステップＳ３２でＮｏ）にも、ステップＳ３４に移行させる。
【００３２】
津波警報受信部３２が、津波警報の警報レベルまで受信できるものであれば閾値を設定し、所定警報レベルを超えた津波警報を受信した時のみ、自動退避運転部３４による運転へ切換えるようにしても良い。
【００３３】
本実施形態によれば、地震の揺れや津波による連続式アンローダの損壊を防げるようになる。更にオペレータに緊急地震速報と津波警報をアナウンスすることにより、オペレータを安全退避させることが可能となる。
【００３４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３５】
１００・・・連続式アンローダ
１・・・ブーム
２・・・バケットコンベア
３・・・掻取部
４・・・ベルトコンベア
５・・・岸壁
６・・・カウンターウェイト
７・・・走行部
８・・・頂部
９・・・上部ブーム
１０・・・下部ブーム
１１・・・ベルトコンベア支持フレーム
１２・・・俯仰用油圧シリンダ
１３・・・バケットチェーン
１４・・・船倉
１５・・・バラ物
１６・・・オペレータ室
２０・・・運転用主幹装置
３０・・・地震・津波被害抑制装置
３１・・・緊急地震速報受信部
３２・・・津波警報受信部
３３・・・オペレータ安全退避警報部
３４・・・自動退避運転部
【図１】
0005912773.tif 000002
【図２】
0005912773.tif 000003
【図３】
0005912773.tif 000004